(57)【要約】【課題】カルの分離時に樹脂に抉れが生じにくく、またカルのコア本体側への残留を抑制可能なロータコアの製造装置及び製造方法を提供する。【解決手段】磁石収容孔１３に磁石１４を収容したコア本体１１が載置される固定型２と、コア本体１１上に設けられ、樹脂流入口３３を有する可動型３と、コア本体１１と可動型３との間に配置され、樹脂流入口３３から流入した樹脂を磁石収容孔１３に導くと共に、樹脂の硬化物であるカル５を保持する充填ポット４１が形成されたカルプレート４と、を備え、充填ポット４１は、上面に開口し可動型３の樹脂流入口３３と連通する接続部４１ａと、接続部４１ａの底壁を貫通し、接続部４１ａと磁石収容孔１３とを連通するノズル部４１ｂと、を有し、接続部４１ａと１つの磁石収容孔１３とが、複数のノズル部４１ｂによって連通されている。【選択図】図３
2019170088.tif 000002
【特許請求の範囲】
【請求項１】
コア本体に形成された磁石収容孔に磁石を収容し、前記磁石を収容した前記磁石収容孔内に樹脂を充填し硬化させて、前記コア本体に前記磁石を固定する装置であって、
前記磁石収容孔に前記磁石を収容した前記コア本体が載置される固定型と、
前記コア本体上に設けられ、樹脂流入口を有する可動型と、
前記コア本体と前記可動型との間に配置され、前記樹脂流入口から流入した樹脂を前記磁石収容孔に導くと共に、前記樹脂の硬化物であるカルを保持する充填ポットが形成されたカルプレートと、を備え、
前記充填ポットは、上面に開口し前記可動型の前記樹脂流入口と連通する接続部と、前記接続部の底壁を貫通し、前記接続部と前記磁石収容孔とを連通するノズル部と、を有し、
前記接続部と１つの前記磁石収容孔とが、複数の前記ノズル部によって連通されている、
ロータコアの製造装置。
【請求項２】
前記コア本体には、周方向に間隔をおいて複数の前記磁石収容孔が形成されており、
前記カルプレートには、周方向に隣り合った２つの前記磁石収容孔毎に、１つの前記充填ポットが形成されており、
各充填ポットは、４つ以上の前記ノズル部を有している、
請求項１に記載のロータコアの製造装置。
【請求項３】
前記ノズル部の少なくとも前記コア本体側の端部には、前記ノズル部における前記樹脂の出口を絞る絞り部が形成されている、
請求項１または２に記載のロータコアの製造装置。
【請求項４】
コア本体に形成された磁石収容孔に磁石を収容し、前記磁石を収容した前記磁石収容孔内に樹脂を充填し硬化させて、前記コア本体に前記磁石を固定する方法であって、
前記磁石収容孔に前記磁石を収容した前記コア本体を固定型に載置し、
前記コア本体上に樹脂流入口を有する可動型を設けると共に、
前記コア本体と前記可動型との間に、前記樹脂流入口から流入した樹脂を前記磁石収容孔に導くと共に、前記樹脂の硬化後に前記樹脂の硬化物であるカルを保持する充填ポットが形成されたカルプレートを配置する準備工程と、
前記樹脂流入口から供給された前記樹脂を、前記充填ポットを介して前記磁石収容孔に流入させ充填し、前記磁石収容孔に充填した前記樹脂を硬化させる樹脂封止工程と、
前記可動型を離脱させ、その後前記カルプレートを前記コア本体から取り外すことで、前記コア本体から前記カルを分離させるカル分離工程と、を備え、
前記充填ポットは、上面に開口し前記可動型の前記樹脂流入口と連通する接続部と、前記接続部の底壁を貫通し、前記接続部と前記磁石収容孔とを連通するノズル部と、を有し、
前記接続部と１つの前記磁石収容孔とが、複数の前記ノズル部によって連通されており、
前記樹脂封止工程では、１つの前記磁石収容孔に対して、複数の前記ノズル部を介して前記樹脂を流入させる、
ロータコアの製造方法。
【発明の詳細な説明】
【技術分野】
【０００１】
本発明は、モータに用いるロータコアの製造装置及び製造方法に関する。
【背景技術】
【０００２】
モータに用いるロータコアとして、コア本体に形成された磁石収容孔に磁石を収容し、磁石を収容した磁石収容孔内に樹脂を充填し硬化させて、コア本体に磁石を固定したものが知られている。このようなロータコアを製造する際には、磁石収容孔内に充填した樹脂を硬化させた後に、磁石収容孔の外部に形成されたカルと呼称される不要な樹脂の硬化物を除去する必要がある。
【０００３】
従来のロータコアの製造装置として、成型型とコア本体との間にカルプレートと呼称される板状の部材を配置し、このカルプレートにカルを保持させるように構成したものがある（例えば、特許文献１参照）。カルプレートを備えることにより、樹脂の硬化後にカルプレートをコア本体から取り外せば、カルプレートと共に複数のカルが一気にコア本体から分離されることとなり、カルを分離させる工程が容易になる。
【先行技術文献】
【特許文献】
【０００４】
【特許文献１】特許第５７４８４６５号公報
【発明の概要】
【発明が解決しようとする課題】
【０００５】
ところで、カルプレートをコア本体から取り外し、磁石収容孔内で硬化された樹脂からカルを分離させる際に、磁石収容孔内で硬化された樹脂に抉れ（凹部）が発生したり、カルの一部がコア本体側に残留したりする場合がある。抉れは外観不良となってしまい、カルの残留があると、残留したカルを除去する無駄な作業が発生してしまう。
【０００６】
特許文献１では、磁石収容孔内で硬化された樹脂とカルとの境界部分に応力集中を発生させることで、樹脂の抉れ等を抑制している。しかし、この場合においても、樹脂の抉れやカルの残留を完全に抑制できるわけではなく、改善が望まれる。
【０００７】
そこで、本発明は、カルの分離時に樹脂に抉れが生じにくく、またカルのコア本体側への残留を抑制可能なロータコアの製造装置及び製造方法を提供することを目的とする。
【課題を解決するための手段】
【０００８】
本発明は、上記課題を解決することを目的として、コア本体に形成された磁石収容孔に磁石を収容し、前記磁石を収容した前記磁石収容孔内に樹脂を充填し硬化させて、前記コア本体に前記磁石を固定する装置であって、前記磁石収容孔に前記磁石を収容した前記コア本体が載置される固定型と、前記コア本体上に設けられ、樹脂流入口を有する可動型と、前記コア本体と前記可動型との間に配置され、前記樹脂流入口から流入した樹脂を前記磁石収容孔に導くと共に、前記樹脂の硬化物であるカルを保持する充填ポットが形成されたカルプレートと、を備え、前記充填ポットは、上面に開口し前記可動型の前記樹脂流入口と連通する接続部と、前記接続部の底壁を貫通し、前記接続部と前記磁石収容孔とを連通するノズル部と、を有し、前記接続部と１つの前記磁石収容孔とが、複数の前記ノズル部によって連通されている、ロータコアの製造装置を提供する。
【０００９】
また、本発明は、上記課題を解決することを目的として、コア本体に形成された磁石収容孔に磁石を収容し、前記磁石を収容した前記磁石収容孔内に樹脂を充填し硬化させて、前記コア本体に前記磁石を固定する方法であって、前記磁石収容孔に前記磁石を収容した前記コア本体を固定型に載置し、前記コア本体上に樹脂流入口を有する可動型を設けると共に、前記コア本体と前記可動型との間に、前記樹脂流入口から流入した樹脂を前記磁石収容孔に導くと共に、前記樹脂の硬化後に前記樹脂の硬化物であるカルを保持する充填ポットが形成されたカルプレートを配置する準備工程と、前記樹脂流入口から供給された前記樹脂を、前記充填ポットを介して前記磁石収容孔に流入させ充填し、前記磁石収容孔に充填した前記樹脂を硬化させる樹脂封止工程と、前記可動型を離脱させ、その後前記カルプレートを前記コア本体から取り外すことで、前記コア本体から前記カルを分離させるカル分離工程と、を備え、前記充填ポットは、上面に開口し前記可動型の前記樹脂流入口と連通する接続部と、前記接続部の底壁を貫通し、前記接続部と前記磁石収容孔とを連通するノズル部と、を有し、前記接続部と１つの前記磁石収容孔とが、複数の前記ノズル部によって連通されており、前記樹脂封止工程では、１つの前記磁石収容孔に対して、複数の前記ノズル部を介して前記樹脂を流入させる、ロータコアの製造方法を提供する。
【発明の効果】
【００１０】
本発明によれば、カルの分離時に樹脂に抉れが生じにくく、またカルのコア本体側への残留を抑制可能なロータコアの製造装置及び製造方法を提供できる。
【図面の簡単な説明】
【００１１】
【図１】本発明の一実施の形態に係るロータコアの製造装置で製造するロータコア示す図であり、（ａ）は斜視図、（ｂ）は中心軸線を含む断面を示す断面図である。
【図２】本発明の一実施の形態に係るロータコアの製造装置を示す断面図である。
【図３】カルプレートを示す図であり、（ａ）は平面図、（ｂ）は充填ポットの近傍を拡大した平面図である。
【図４】（ａ）は図３（ｂ）のＡ−Ａ線断面図、（ｂ）はノズル部の形状を示す破断面図である。
【図５】ノズル部の形状の一変形例を示す破断面図である。
【図６】本実施の形態に係るロータコアの製造方法の手順を示すフロー図である。
【図７】（ａ），（ｂ）は、樹脂封止工程を説明する説明図である。
【図８】（ａ），（ｂ）は、カル分離工程を説明する説明図である。
【発明を実施するための形態】
【００１２】
［実施の形態］
以下、本発明の実施の形態を添付図面にしたがって説明する。
【００１３】
（ロータコアの説明）
図１は、本実施の形態に係るロータコアの製造装置で製造するロータコアを示す図であり、（ａ）は斜視図、（ｂ）は中心軸線を含む断面を示す断面図である。図１（ａ），（ｂ）に示すように、ロータコア１０は、コア本体１１と、コア本体１１に形成された磁石収容孔１３に収容された磁石１４と、磁石収容孔１３に充填され硬化された樹脂１５と、を有している。
【００１４】
コア本体１１は、電磁鋼板からなる複数枚の鉄心片１２が積層された積層体である。コア本体１１は、全体として略円筒状に形成されており、その軸心部には、コア本体１１を軸方向に貫通するように中心孔１１ａが形成されている。なお、図１（ａ），（ｂ）における符号Ｃは、コア本体１１の中心軸線を表している。コア本体１１の内周面には、対向位置から径方向内方に突出するキー部１１ｂが形成されている。キー部１１ｂは、後述する固定型２に対する位置決めのために用いられる。
【００１５】
磁石収容孔１３は、中心孔１１ａの外周側に形成されると共に、コア本体１１を軸方向に貫通するように形成されている。コア本体１１には、周方向に間隔をおいて複数の磁石収容孔１３が形成されている。磁石収容孔１３は、長穴状に形成されており、その長軸方向が、コア本体１１の径方向に対して傾斜するように形成されている。より具体的には、長軸方向がコア本体１１の径方向に対して所定角度傾斜した磁石収容孔１３と、長軸方向がコア本体１１の径方向に対して反対方向に所定角度傾斜した磁石収容孔１３とが、コア本体１１の周方向に離間して交互に形成されている。
【００１６】
各磁石収容孔１３には、コア本体１１の軸方向に沿って延在する板状の磁石１４が収容されている。磁石収容孔１３には、樹脂１５が充填されており、この樹脂１５により、磁石１４がコア本体１１に固定されている。樹脂１５としては、エポキシ樹脂等の熱硬化性樹脂を用いることができる。
【００１７】
コア本体１１の中心孔１１ａよりも外周側、かつ磁石収容孔１３よりも内周側には、磁石１４を冷却するための冷却媒体が流通される冷却孔１１ｃが形成されている。コア本体１１には、周方向に離間して複数の冷却孔１１ｃが形成されている。各冷却孔１１ｃは、コア本体１１を軸方向に貫通するように形成されると共に、コア本体１１の周方向に沿って湾曲した円弧状に形成されている。図示していないが、各冷却孔１１ｃは、コア本体１１の内部において分岐して中心孔１１ａと連通する連通部を有している。
【００１８】
（ロータコアの製造装置の説明）
図２は、本実施の形態に係るロータコアの製造装置を示す断面図である。図２に示すように、ロータコアの製造装置１は、コア本体１１に形成された磁石収容孔１３に磁石１４を収容し、磁石１４を収容した磁石収容孔１３内に樹脂を充填し硬化させて、コア本体１１に磁石１４を固定する装置である。ロータコアの製造装置１は、固定型２と、可動型３と、カルプレート４と、を備えている。
【００１９】
固定型２は、磁石収容孔１３に磁石１４を収容したコア本体１１が載置されるものであり、固定型本体２１と、固定型本体２１の上面に固定された支持部材２２と、支持部材２２の上面に配置されたスペーサ２３と、を有している。
【００２０】
支持部材２２は、固定型本体２１の上面に図略のボルトにより固定された板状のベース部２２ａと、ベース部２２ａの中央部から上方に突出し、コア本体１１の中心孔１１ａに挿入される略円筒状のポスト部２２ｂと、を有している。図示していないが、ポスト部２２ｂの外周面には、コア本体１１のキー部１１ｂが挿入される一対のキー溝が形成されており、このキー溝にキー部１１ｂを挿入することにより、固定型２に対するコア本体１１の位置決めが行われる。
【００２１】
スペーサ２３は、板状に形成されており、その中央部にポスト部２２ｂを挿通する挿通孔２３ａが形成されている。図示していないが、スペーサ２３は、挿通孔２３ａ内に突出しポスト部２２ｂのキー溝に挿入される一対の規制突起を有しており、この規制突起をキー溝に挿入することで、支持部材２２及びコア本体１１に対するスペーサ２３の位置決めがなされる。コア本体１１は、スペーサ２３の上面に載置され、コア本体１１の下面とスペーサ２３の上面とは当接する。
【００２２】
スペーサ２３におけるコア本体１１の磁石収容孔１３に対応する位置には、スペーサ２３を板厚方向に貫通するピン用孔２３ｂが形成されており、このピン用孔２３ｂに、下方から規制ピン２３ｃが挿入され固定されている。規制ピン２３ｃの上端部は、スペーサ２３の上面よりも上方に突出し、磁石収容孔１３内に突出しており、磁石収容孔１３に収容された磁石１４を下方から支持する。
【００２３】
可動型３は、固定型２に載置されたコア本体１１上に、固定型２に対して離接可能に設けられている。可動型３は、可動型本体３１と、可動型本体３１の下面に固定されたプレート部３２と、を有している。プレート部３２は、カルプレート４よりも外形が大きくされている。可動型３は、磁石収容孔１３を封止する樹脂を流入させるための複数の樹脂流入口３３を有している。各樹脂流入口３３は、可動型本体３１及びプレート部３２を貫通するように形成されており、平面視で円形状に形成されている。
【００２４】
（カルプレート４の説明）
図３は、カルプレート４を示す図であり、（ａ）は平面図、（ｂ）は充填ポット４１の近傍を拡大した平面図である。また、図４（ａ）は図３（ｂ）のＡ−Ａ線断面図であり、図４（ｂ）はノズル部の形状を示す破断面図である。
【００２５】
図２〜４に示すように、カルプレート４は、板状に形成されており、コア本体１１と可動型３（プレート部３２）との間に配置されている。カルプレート４の下面はコア本体１１の上面に当接し、カルプレート４の上面はプレート部３２の下面に当接する。
【００２６】
カルプレート４には、可動型３の樹脂流入口３３から流入した樹脂を磁石収容孔１３に導く複数の充填ポット４１が形成されている。本実施の形態では、周方向に隣り合った２つの磁石収容孔１３毎に、１つの充填ポット４１が形成されている。詳細は後述するが、充填ポット４１は、樹脂の硬化後に、不要な樹脂の硬化物であるカルを保持する役割も果たすものである。
【００２７】
充填ポット４１は、平面視で円形状に形成され、上面に開口し可動型３の樹脂流入口３３と連通する接続部４１ａと、接続部４１ａの底壁を貫通し、接続部４１ａと磁石収容孔１３とを連通するノズル部４１ｂと、を有している。
【００２８】
磁石収容孔１３内で硬化された樹脂１５からのカルの分離を容易とするためには、ノズル部４１ｂの出口の大きさをできるだけ小さくすることが望ましい。しかし、ノズル部４１ｂの出口の大きさを小さくすると、成形時に磁石収容孔１３へと樹脂を導入しにくくなり、磁石収容孔１３の一部に樹脂が充填されない空間が生じたり、樹脂の成形にかかる時間が長くなったりするおそれが生じる。
【００２９】
そこで、本実施の形態では、接続部４１ａと１つの磁石収容孔１３とが、複数のノズル部４１ｂによって連通されるようにした。これにより、ノズル部４１ｂの出口を小さくした場合であっても、成形時における磁石収容孔１３に流れ込む樹脂の流量を確保し、磁石収容孔１３の一部に樹脂が充填されない空間が生じることを抑制すると共に、樹脂の成形にかかる時間が長くなることを抑制可能になる。
【００３０】
ここでは、周方向に隣り合った２つの磁石収容孔１３毎に、１つの充填ポット４１を形成しているため、各充填ポット４１は、４つ以上のノズル部４１ｂを有することになる。本実施の形態では、１つの磁石収容孔１３に対して２つのノズル部４１ｂを形成した。よって、各充填ポット４１は、２つの磁石収容孔１３に対応するように、４つのノズル部４１ｂを有している。１つの磁石収容孔１３に対応する２つのノズル部４１ｂは、コア本体１１上に配置した際に、対応する磁石収容孔１３の長軸方向に並ぶように形成される。
【００３１】
各ノズル部４１ｂは、全体として、平面視で磁石収容孔１３の長軸方向に平行な長辺を有する長方形状に形成されており、下方ほど（コア本体１１側ほど）開口が狭くなるテーパ状に形成されている。さらに、各ノズル部４１ｂの下端部（コア本体１１側の端部）には、下方に向かってより急激に開口が狭くなるように、ノズル部４１ｂにおける樹脂の出口を絞る絞り部４２が形成されている。本実施の形態では、平面視で長方形状に形成されたノズル部４１ｂにおいて、一方の長辺を構成する内壁４ａ（ここでは、接続部４１ａの中心側の内壁４ａ）の下端部において、カルプレート４の厚さ方向に対する傾斜角度をより大きくする（当該下端部よりも上方の傾斜角度よりも大きくする）ことで、絞り部４２を形成している。つまり、本実施の形態では、ノズル部４１ｂの短辺方向において開口（樹脂の出口）を絞るように絞り部４２を形成している。
【００３２】
絞り部４２を形成することで、樹脂の硬化後に、磁石収容孔１３を封止している樹脂１５と、不要なカルとを連結する連結部が細くなり、かつ、カルの下端部にて急激な断面係数の変化が生じるため、カルの下端部（樹脂１５との連結部分）で破断が発生し易くなる。その結果、樹脂１５からのカルの分離が容易となり、樹脂１５の抉れやカルの残留がより発生しにくくなる。なお、絞り部４２を形成することで、ノズル部４１ｂから磁石収容孔１３へと流れ込む樹脂の流量はより低下するが、１つの磁石収容孔１３に複数（ここでは２つ）のノズル部４１ｂから樹脂を流入させることにより、磁石収容孔１３へと流れ込む樹脂の全体の流量は確保できるので、樹脂の充填不良等の不具合も抑制可能である。
【００３３】
本実施の形態では、ノズル部４１ｂの短辺方向において開口（樹脂の出口）を絞るように絞り部４２を形成したが、これに限らず、例えば、図５に示すように、ノズル部４１ｂの長辺方向と短辺方向の両方において開口（樹脂の出口）を絞るように絞り部４２を形成してもよい。図５の例では、ノズル部４１ｂにおいて一方の長辺を構成する内壁４ａ、及び２つの短辺を構成する２つの内壁４ｂ，４ｂの下端部において、カルプレート４の厚さ方向に対する傾斜角度をより大きくする（当該下端部よりも上方の傾斜角度よりも大きくする）ことで、絞り部４２を形成している。なお、絞り部４２でより傾斜角度を大きくする内壁については、適宜選択可能である。
【００３４】
（ロータコアの製造方法の説明）
図６は、本実施の形態に係るロータコアの製造方法の手順を示すフロー図である。図６に示すように、本実施の形態に係るロータコアの製造方法では、まず、ステップＳ１にて、コア本体１１を形成するコア本体形成工程を行う。ステップＳ１のコア本体形成工程では、電磁鋼板をプレスして鉄心片１２を形成し、形成した鉄心片１２を複数積層して上下からプレスしてコア本体１１を形成する。なお、コア本体１１を形成する具体的な工程については、これに限定されるものではない。
【００３５】
その後、ステップＳ２にて、コア本体１１をロータコアの製造装置１にセットする準備工程を行う。ステップＳ２の準備工程では、コア本体１１を固定型２に載置すると共に、コア本体１１の磁石収容孔１３に磁石１４を収容する。また、コア本体１１上に、カルプレート４と可動型３とを順次配置する。
【００３６】
その後、ステップＳ３にて、樹脂封止工程を行う。ステップＳ３の樹脂封止工程では、図７（ａ）に示すように、封止用の樹脂１５の原料となる熱硬化性樹脂からなる母材１５ａを、可動型３の樹脂流入口３３に挿入し、プランジャ７により母材１５ａを下方（コア本体１１側）へと押し込みつつ、母材１５ａを熱により溶融させて、樹脂流入口３３から樹脂（溶融させた母材１５ａ）を供給する。図７（ｂ）に示すように、樹脂流入口３３から供給された樹脂は、充填ポット４１を介して磁石収容孔１３に流入し、樹脂が充填ポット４１に充填される。本実施の形態では、充填ポット４１の接続部４１ａと１つの磁石収容孔１３とが、複数（ここでは２つ）のノズル部４１ｂによって連通されているため、ステップＳ３の樹脂封止工程では、１つの磁石収容孔１３に対して、複数（ここでは２つ）のノズル部４１ｂを介して樹脂が流入されることになる。
【００３７】
磁石収容孔１３に充填した樹脂が熱により硬化されると、磁石収容孔１３を封止する樹脂１５が形成されると共に、カルプレート４の充填ポット４１にカル５が形成される。なお、樹脂封止工程においては、コア本体１１やロータコアの製造装置１の一部を予め加熱しておき、この熱により母材１５ａの溶融及び樹脂の硬化を行うとよい。
【００３８】
その後、ステップＳ４にて、カル分離工程を行う。ステップＳ４のカル分離工程では、まず、図８（ａ）に示すように、可動型３を上方に移動させて離脱させる。その後、図８（ｂ）に示すように、カルプレート４をコア本体１１から取り外すことで、コア本体１１からカル５を分離させる。本実施の形態では、１つの磁石収容孔１３に対して複数（ここでは２つ）のノズル部４１ｂが設けられているため、ノズル部４１ｂの出口を小さくして、カル５と樹脂１５との連結部分を細くすることが可能であり、カル５を分離させる際に樹脂１５の抉れやカル５の残留が発生しにくい。さらに、各ノズル部４１ｂの下端部に絞り部４２が形成されているため、カル５の下端部にて急激な断面係数の変化が生じ、カル５の下端部（樹脂１５との境界部分）で破断が生じ易くなっており、これにより樹脂１５の抉れやカル５の残留がより発生しにくくなっている。カル５を分離させたコア本体１１を固定型２から取り外せば、図１のロータコア１０が得られる。
【００３９】
その後、ステップＳ５にて、カルプレート４からカル５を取り除くカル除去工程を行う。ステップＳ５のカル除去工程では、例えば、インジェクタピンをノズル部４１ｂの下方から挿し込むことで、カル５をカルプレート４から取り除く。なお、カルプレート４からカル５を取り除く具体的な方法については、これに限定されない。
【００４０】
（実施の形態の作用及び効果）
以上説明したように、本実施の形態に係るロータコアの製造装置１では、カルプレート４の充填ポット４１が、上面に開口し可動型３の樹脂流入口３３と連通する接続部４１ａと、接続部４１ａの底壁を貫通し、接続部４１ａと磁石収容孔１３とを連通するノズル部４１ｂと、を有し、接続部４１ａと１つの磁石収容孔１３とが、複数のノズル部４１ｂによって連通されている。
【００４１】
これにより、成形時における磁石収容孔１３への樹脂の流入量を確保しつつも、ノズル部４１ｂの出口を小さくすることが可能になる。その結果、カル５を分離させる際に樹脂１５に抉れが生じにくくなると共に、カル５のコア本体１１側への残留を抑制することが可能になる。
【００４２】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００４３】
また、本発明は、その趣旨を逸脱しない範囲で適宜変形して実施することが可能である。例えば、上記実施の形態では、絞り部４２の全体をテーパ状に形成したが、これに限らず、絞り部４２の一部（例えば下端部）において、開口が一定の大きさとされていてもよい。例えば、絞り部４２の一部において、すべての内壁がカルプレート４の厚さ方向に対して平行となっていてもよい。
【符号の説明】
【００４４】
１…ロータコアの製造装置、２…固定型、２１…固定型本体、２２…支持部材、２２ａ…ベース部、２２ｂ…ポスト部、２３…スペーサ、２３ａ…挿通孔、２３ｂ…ピン用孔、２３ｃ…規制ピン、３…可動型、３１…可動型本体、３２…プレート部、３３…樹脂流入口、４…カルプレート、４ａ，４ｂ…内壁、４１…充填ポット、４１ａ…接続部、４１ｂ…ノズル部、４２…絞り部、５…カル、７…プランジャ、１０…ロータコア、１１…コア本体、１１ａ…中心孔、１１ｂ…キー部、１１ｃ…冷却孔、１１ｃ…各冷却孔、１２…鉄心片、１３…磁石収容孔、１４…磁石、１５…樹脂、１５ａ…母材
【図１】
2019170088.tif 000003
【図２】
2019170088.tif 000004
【図３】
2019170088.tif 000005
【図４】
2019170088.tif 000006
【図５】
2019170088.tif 000007
【図６】
2019170088.tif 000008
【図７】
2019170088.tif 000009
【図８】
2019170088.tif 000010